(57)【要約】【課題】他の機器との間で画像データを共有するとともに、記録容量を抑えることができるようにする。【解決手段】他のデジタルカメラに設定されている所望条件の画像データであって、かつ自身のデジタルカメラに設定した所望条件以外の画像データを、相手側デジタルカメラに送信する。そして、送信完了後に、画像データ着信通知を受け取り、不要となった画像データを記録媒体より消去するようにして、記録容量を抑え、撮影が続行可能とし、グループメンバーの記録容量を最大限に有効利用できるようにする。【選択図】図８
2011234321.tif 000002
【特許請求の範囲】
【請求項１】
撮影装置ごとに所定の条件を設定する設定手段と、
互いの条件を他の撮影装置に通知する通知手段と、
画像データを記録媒体に記録する記録手段と、
自装置の条件に合致した画像データを受信する通信手段と、
画像データが自装置の条件には合致せず、前記他の撮影装置の条件に合致したときはその画像データを消去する制御手段とを備えることを特徴とする撮影装置。
【請求項２】
前記通知手段は、条件に合致した画像データを受信したことを前記他の撮影装置に通知し、
前記制御手段は、前記条件に合致した画像データを受信したことの通知に対する返信がないときは、その画像データを消去しないよう制御することを特徴とする請求項１記載の撮影装置。
【請求項３】
前記制御手段は、前記他の撮影装置から前記条件に合致した画像データを受信したことの通知に対する返信を受信したときに、前記画像データをその他の撮影装置へ送信しないように制御することを特徴とする請求項１記載の撮影装置。
【請求項４】
撮影装置ごとの所定の条件を設定する設定工程と、
互いの条件を他の撮影装置に通知する通知工程と、
画像データを記録媒体に記録する記録工程と、
自装置の条件に合致した画像データを受信する通信工程と、
画像データが自装置の条件には合致せず、前記他の撮影装置の条件に合致したときはその画像データを消去する制御工程とを備えることを特徴とする撮影装置の制御方法。
【請求項５】
請求項４記載の撮影装置の制御方法の各工程をコンピュータに実行させるためのプログラム。
【発明の詳細な説明】
【技術分野】
【０００１】
本発明は撮影装置、その制御方法、及びプログラムに関し、特に、複数の機器で画像データを共有するために用いて好適な技術に関する。
【背景技術】
【０００２】
運動会やイベント会場等において、デジタルカメラ等の撮影装置を持った人々が多数集まる。それぞれの人物が撮影した画像を示す画像データは、それぞれの人物が持つデジタルカメラに記録される。そこで、他の人物が自身とは違う角度から被写体を撮影した画像を得たいという希望が多くある。
【０００３】
デジタルカメラ等の撮影装置で互いに撮影された画像データを交換するには、ＳＤカード等の記憶媒体で交換するか、あるいはネットワークに接続したり共有サーバ等を用いたりすることによって画像データを交換することが可能である。そして、デジタルカメラ同士で画像データの送受信ができれば、それぞれの人物が使用しているデジタルカメラの撮影によって得られた画像データを共有することができる。そこで、撮影装置間で画像データの送受信を行うことが可能なものとして、例えば特許文献１や特許文献２には、ケーブル或いは赤外線を用いて画像データの送受信を行う技術が開示されており、このような技術が実用化されつつある。
【先行技術文献】
【特許文献】
【０００４】
【特許文献１】特開平９−２８４６９６号公報
【特許文献２】特開平１１−３２２４５号公報
【発明の概要】
【発明が解決しようとする課題】
【０００５】
しかしながら、各自のデジタルカメラにおいては、そのデジタルカメラ自体が撮影した画像データと、他者のデジタルカメラが撮影した画像データとを記録することになり、必要以上に記録容量が大きくなる。また、この画像データを共有化するグループに、参加するデジタルカメラの数が増加すればするほど、画像データを送受信にて相互交換すると、記録容量は増加していく一方である。このようにグループ化したデジタルカメラが多いほど画像データの記録容量は増加し、共有サーバ等を利用しない場合は、直ぐに記録媒体の記録容量が飽和してしまう。
【０００６】
また、デジタルカメラごとの所望条件以外の画像データを、多く記録することになり編集する必要性がある。しかし、各自のデジタルカメラで撮影した画像データを、イベント会場等の範囲内にいる他のデジタルカメラに送受信する場合、画像データを共有することは容易でないそのため、記録した画像データを消去して良いかどうか、撮影者は判断できない。更に、新規に参加するデジタルカメラがある場合、所望条件に合わせてそれ以前に通信交換を終了した画像データが送信されるため、重複する画像データがいくつも存在してしまう場合もある。
【０００７】
本発明は前述の問題点に鑑み、他の機器との間で画像データを共有するとともに、記録容量を抑えることができるようにすることを目的としている。
【課題を解決するための手段】
【０００８】
本発明の撮影装置は、撮影装置ごとに所定の条件を設定する設定手段と、互いの条件を他の撮影装置に通知する通知手段と、画像データを記録媒体に記録する記録手段と、自装置の条件に合致した画像データを受信する通信手段と、画像データが自装置の条件には合致せず、前記他の撮影装置の条件に合致したときはその画像データを消去する制御手段とを備えることを特徴とする。
【発明の効果】
【０００９】
本発明によれば、デジタルカメラ間で画像データを共有するとともに、記録容量を抑えることができる。
【図面の簡単な説明】
【００１０】
【図１】実施形態における画像共有システムの構成例を示す図である。
【図２】各々のデジタルカメラが撮影した画像データを示す図である。
【図３】画像データを交換した後の保持する画像データを示す図である。
【図４】各々のデジタルカメラが整理して記録した画像データを示す図である。
【図５】画像データを送信する場合の動作の一例を示すフローチャートである。
【図６】画像データを受信する場合の動作の一例を示すフローチャートである。
【図７】画像データを消去する場合分けの一覧を示す図である。
【図８】実施形態に係るデジタルカメラの構成例を示すブロック図である。
【図９】新規参加するデジタルカメラに送信される画像データを示す図である。
【図１０】新規参加するデジタルカメラが記録した画像データを示す図である。
【図１１】新参加側デジタルカメラの動作の一例を示すフローチャートである。
【図１２】既存側デジタルカメラの動作の一例を示すフローチャートである。
【発明を実施するための形態】
【００１１】
以下、本発明の実施形態の画像を連携する撮影装置について、図１〜図１２を参照しながら説明する。まず、図１〜図４を参照しながら、本実施形態における基本的な概念を説明する。
図１は、本実施形態における画像を通信する画像共有システムの構成例を示す図である。
図１において、３台のデジタルカメラＡ、Ｂ、Ｃは、互いに近距離無線（例：ＩＥＥＥ８０２.１１.ｂの２．４ＧＨｚの帯域を用いる無線伝送方式）の通信インターフェースを無線通知手段として備えている。これらは互いに近距離無線の範囲内にあれば通信可能であるグループから構成されている。また、これらのデジタルカメラＡ〜Ｃの通信インターフェースは、受信通知機能をも有する。なお、本実施形態では説明のため２台のグループとしたが、より多数でのグループの構成も可能である。
【００１２】
本実施形態の画像共有システムは、例えばイベント会場等内において撮影された画像を、その会場内にいるデジタルカメラの撮影者同士で共有するものである。画像の送受信を行う場合は、専用コード（ＰＩＮコード：パーソナル・アイデンティファイ・ナンバー・コード）を、各自のデジタルカメラに共通付与して相互に認証し合う。そして、専用コードが付与されたデジタルカメラに、所有する撮影者自身が希望画像情報としての所望条件を入力する。代表例として、個々のデジタルカメラの操作部より特定の人物の顔が撮影されている画像を選択することにより個別顔認識として設定される。例えば、デジタルカメラＡには、所有者Ａの子供であるＡ子の顔情報を入力し、他のデジタルカメラにて撮影されたＡ子の画像を、所望条件の希望画像情報とする。
【００１３】
同様に、デジタルカメラＢにはＢ子の顔情報を入力して所望条件の希望画像情報とし、デジタルカメラＣにはＣ子の顔情報を入力して所望条件の希望画像情報とする。そして、各々のデジタルカメラの所望条件を、他のデジタルカメラと相互に無線通信して情報を交換し、画像データは各々の顔情報により、どのデジタルカメラの所望条件であるか、撮影されるごとにＣＰＵにより検索される。また、所望条件として一定時間内や一定地域内を設定しても同様に検索可能である。
【００１４】
このように、撮影された画像データが他のデジタルカメラと送受信されることにより、個人の撮影者が撮影した画像データだけでなく、他の撮影者が撮影した画像データを得ることができる。したがって、例えば、被写体を違う角度から撮影した画像データを得ることができる。
【００１５】
図２は、各々のデジタルカメラが撮影した画像データを示す図である。
各々のデジタルカメラにおいて撮影を開始すると、各々のデジタルカメラは、それぞれ個別の画像データを保持することになる。ここで、集合写真の様な所望条件が重なる場合は、各々のデジタルカメラに無線通信後に記録されるが、ここでは説明を簡単にするため、所望条件が重ならないものとする。
【００１６】
画像を撮影すると、どのデジタルカメラで撮影された何枚目かの情報と、どの所望条件であるかの情報とを、サムネイル情報として画像データに添付する。図２に示す例の場合、デジタルカメラＡは、Ａ撮影−Ａ所望（Ａ１−Ａ）、Ａ撮影−Ｂ所望（Ａ２−Ｂ）、Ａ撮影−Ｃ所望（Ａ３−Ｃ）、及びＡ撮影−Ｃ所望（Ａ４−Ｃ）の４枚の自身で撮影した画像データを保持している。デジタルカメラＢは、Ｂ撮影−Ａ所望（Ｂ１−Ａ）、Ｂ撮影−Ａ所望（Ｂ２−Ａ）、Ｂ撮影−Ｂ所望（Ｂ３−Ｂ）、Ｂ撮影−Ｂ所望（Ｂ４−Ｂ）、及びＢ撮影−Ｃ所望（Ｂ５−Ｃ）の５枚の画像データを保持している。さらに、デジタルカメラＣは、Ｃ撮影−Ａ所望（Ｃ−Ａ１）の１枚の画像データを保持している。
【００１７】
図３は、各々のデジタルカメラが画像データを交換した後の保持する画像データを示す図である。
単純な画像共有システムで画像データを交換すると、各々のデジタルカメラは合計１０枚の画像データ全てを記録することになる。これに対して本実施形態の画像共有システムでは、各々のデジタルカメラの所望条件に合致した画像データを送受信して相互交換する。
【００１８】
図３に示す例の場合、デジタルカメラＡは、７枚の画像データを記録することになる。すなわち、Ａ撮影−Ａ所望（Ａ１−Ａ）、Ｂ撮影−Ａ所望（Ｂ１−Ａ）、Ｂ撮影−Ａ所望（Ｂ２−Ａ）、Ｃ撮影−Ａ所望（Ｃ１−Ａ）、Ａ撮影−Ｂ所望（Ａ２−Ｂ）、Ａ撮影−Ｂ所望（Ａ３−Ｂ）、及びＡ撮影−Ｃ所望（Ａ４−Ｃ）の画像データを記録する。デジタルカメラＢは、６枚の画像データを記録することになる。すなわち、Ｂ撮影−Ａ所望（Ｂ１−Ａ）、Ｂ撮影−Ａ所望（Ｂ２−Ａ）、Ａ撮影−Ｂ所望（Ａ２−Ｂ）、Ｂ撮影−Ｂ所望（Ｂ３−Ｂ）、Ｂ撮影−Ｂ所望（Ｂ４−Ｂ）、及びＢ撮影−Ｃ所望（Ｂ５−Ｃ）の画像データを記録する。そして、デジタルカメラＣは、Ｃ撮影−Ａ所望（Ｃ１−Ａ）、Ａ撮影−Ｃ所望（Ａ３−Ｃ）、Ａ撮影−Ｃ所望（Ａ４−Ｃ）、及びＢ撮影−Ｃ所望（Ｂ５−Ｃ）の４枚の画像データを記録することになる。
【００１９】
このように本実施形態では、従来の単純な画像共有システムと比べて記録する画像データの数を少なくすることができる。なお、この段階では、各々のデジタルカメラには、自身の所望条件に合致しないが、自身で撮影した画像データは記録されていることになる。
【００２０】
図４は、各々のデジタルカメラが整理して記録した画像データを示す図である。
まず、撮影側（送信側）のデジタルカメラは他（受取側）のデジタルカメラへ所望条件の画像データを送信する。そして、受取側のデジタルカメラは、所望条件に合致した画像データであることを確認し、その画像データを記録して、送信側のデジタルカメラへ画像データを受取ったことを返信通知する。送信側デジタルカメラは、送信が確実に終了したことの通知をされた後、自身のデジタルカメラの所望条件でないことを確認して、その画像データを消去する。よって、自身のデジタルカメラには、自身の所望条件のみの画像データが記録される。
【００２１】
図４に示す例の場合は、デジタルカメラＡは、Ａ撮影−Ａ所望（Ａ１−Ａ）、Ｂ撮影−Ａ所望（Ｂ１−Ａ）、Ｂ撮影−Ａ所望（Ｂ２−Ａ）、及びＣ撮影−Ａ所望（Ｃ１−Ａ）の４枚の画像データを記録し、３枚の画像データを消去している。デジタルカメラＢは、Ａ撮影−Ｂ所望（Ａ２−Ｂ）、Ｂ撮影−Ｂ所望（Ｂ３−Ｂ）、及びＢ撮影−Ｂ所望（Ｂ４−Ｂ）の３枚の画像データを記録し、３枚の画像データを消去している。そして、デジタルカメラＣは、Ａ撮影−Ｃ所望（Ａ３−Ｃ）、Ａ撮影−Ｃ所望（Ａ４−Ｃ）、及びＢ撮影−Ｃ所望（Ｂ５−Ｃ）の３枚の画像データを記録し、１枚の画像データを消去している。
【００２２】
以上により、各々のデジタルカメラでは画像データが整理され、記録容量を最大限に利用可能となり、撮影動作が続行される。なお、送信が確実に終了したことが通知されない場合、送信ミスの可能性があるため、画像データは消去不可とする。さらに、どのデジタルカメラの所望条件にも合致しない場合、操作部より画像データの消去を指示することができる。
【００２３】
前述の説明では、所望条件が重ならないものとしたが、実際には所望条件が重なるときがある。この場合、画像データの送信が確実に終了したことが通知された後、つまり自身及び他者のデジタルカメラで確実に記録された後に、操作部より画像データの消去を指示することができる。その際、画像データが消去されても、どのデジタルカメラで撮影された何枚目かの情報と、どの所望条件であるかの情報とのサムネイル情報のみは残しておく。
【００２４】
図８は、本実施形態のデジタルカメラの構成例を示すブロック図である。
図８において、撮像部の構成は、撮影レンズ１１、ＣＣＤ等の光電変換素子からなる撮像素子１２、撮像回路１３、及びＡ／Ｄ変換回路１４から構成されている。撮影レンズ１１によって結像された被写体像を撮像素子１２によって光電変換し、光電変換された画像信号が撮像回路１３を介してＡ／Ｄ変換回路１４に入力することにより、デジタル化された画像信号が得られる。なお、撮影レンズ１１は、レンズ駆動制御回路１５からの制御に基づきレンズ駆動部１６によって駆動される。
【００２５】
ＣＰＵ１７は、デジタルカメラの各部を制御する機能を有するほか、所定の画像処理等の各種処理機能を有しており、画像データの記録及び消去の制御機能を有する。圧縮伸長回路１８は、ＪＰＥＧ圧縮処理及びＪＰＥＧ伸長処理を行う圧縮伸長処理機能を有している。操作部１９は、デジタルカメラに各種の指示を与えるものであり、レリーズボタン、ズームレバー、モード選択スイッチ、画像データ選択ボタン等から構成されている。そして、デジタルカメラ同士が画像共有システムを利用するため、専用コードを共通付与して相互に認証し合うグループ情報の操作、所望条件の入力操作もおこなう。
【００２６】
ＲＡＭ２０は、バッファメモリとしての機能を有し、撮像部によって得られた画像データ等を一時的に記憶するほか、画像処理等の各種処理の作業領域としても用いられる。また、ＲＡＭ２０にはグループ情報が記録されており、ＣＰＵ１７により読み出され、グループ情報が判別されるようになっている。ＲＯＭ２１は、各種処理等に用いる演算用データ等を予め記憶しておくものである。
【００２７】
メモリＩ／Ｆ２２は、記録媒体２３との間で情報の送受信を行うためのインターフェースであり、このメモリＩ／Ｆ２２を介して、記録媒体２３への画像情報の書き込みや、記録媒体２３からの画像情報の読み出しが行われる。また、記録媒体２３は装抜手段によりデジタルカメラより着脱及び交換が可能である。なお、グループ情報を記録媒体２３に記録させ、ＣＰＵ１７により読み出してグループ情報を判別してもよい。この場合は、デジタルカメラに専用コードを共通付与するのに対し、記録媒体２３にこれらの情報が収納されていれば、撮影途中でデジタルカメラを交換しても、同一の記録媒体を使用すれば継続して利用できる。
【００２８】
送受信回路２４は、アンテナ２５を介して他のデジタルカメラとの間で通信を行うためのものであり、この送受信回路２４及びアンテナ２５により他のデジタルカメラとの間で画像情報等の送受を行うことができる。送受信回路２４から画像データを受信すると、画像データは画像出力回路２６に送られ、この画像出力回路２６からの信号によって画像表示ＬＣＤ２７に画像が表示される。
【００２９】
次に、本実施形態の動作について、図５及び図６に示すフローチャートを参照しながら説明する。なお、各々のデジタルカメラではなく、送信側デジタルカメラと受信側デジタルカメラとに分けて説明したが、一つのデジタルカメラが送信側にも受信側にも機能し、交互にこの動作が繰り返される。
【００３０】
図５は、画像データを送信する場合のデジタルカメラの動作の一例を示すフローチャートである。なお、図５に示す処理は、ＣＰＵ１７の制御により行われる。
まず、ステップＳ１１において、操作部１９より送信側デジタルカメラとしての希望する画像情報を入力する。このように自身のデジタルカメラにて所望条件を、操作部１９より特定の人物の顔が撮影されている画像を選択することにより個別顔認識として設定される。なお、後述する受信側デジタルカメラとしての希望する画像情報を入力するのも同一動作である。
【００３１】
次に、ステップＳ１２において、受信側デジタルカメラとしての希望する画像情報を受信するまで待機する。そして、希望する画像情報を受信すると、ステップＳ１３において、受信側デジタルカメラの所望条件に合致した、希望の画像データがあるかどうかを判断する。なお、画像データの各々の顔情報により、どのデジタルカメラで撮影された何枚目かの情報と、どのデジタルカメラの所望条件であるかの情報とが撮影されるごとにサムネイル情報として画像データに添付されている。
【００３２】
この判断の結果、受信側デジタルカメラの所望条件に合致した画像データがある場合、ステップＳ１４において、送受信回路２４によりその画像データを送信側デジタルカメラから受信側デジタルカメラへ送信する。これにより、受取側のデジタルカメラは、所望条件に合致した画像データであることを確認し、その画像データを記録して、送信側デジタルカメラへ画像データを受取ったことを返信通知する。そして、ステップＳ１５において、送信側デジタルカメラはその通知を一定時間内に受けたか否かを判断する。この判断の結果、一定時間内にその通知が無い場合は、ステップＳ１４に戻り、改めて画像データを送信側デジタルカメラより、受信側デジタルカメラへ送信する。
【００３３】
一方、ステップＳ１５の判断の結果、画像データを受け取ったことの通知を受けた場合は、ステップＳ１６において、送信終了した画像データが、自身のデジタルカメラの所望条件以外かどうかを判断する。この判断の結果、自身のデジタルカメラの所望条件以外である場合は、ステップＳ１９において、その画像データを消去する。よって、送信側デジタルカメラには、自身が撮影した画像データのうち、所望条件の画像データのみが記録され、記録容量も抑えることができる。そしてステップＳ２０において、撮影を続行する。一方、ステップＳ１６の判断の結果、自身のデジタルカメラの所望条件以外でない場合は、画像データを消去せず、ステップＳ２０に進む。
【００３４】
一方、ステップＳ１３の判断の結果、受信側デジタルカメラの所望条件に合致した画像データがない場合は、ステップＳ１７において、自身のデジタルカメラの所望条件以外の画像データが含まれているかどうかを判断する。この判断の結果、自身のデジタルカメラの所望条件以外の画像データが含まれている場合は、ステップＳ１８において、操作部１９より画像データを消去する指示を受けたか否かを判断する。
【００３５】
この判断の結果、画像データを消去する指示を受けた場合は、ステップＳ１９に進み、指示を受けていない場合は、ステップＳ２０に進む。また、ステップＳ１７の判断の結果、自身のデジタルカメラの所望条件以外の画像データが含まれていない場合もステップＳ２０に進む。以上、撮影終了またはグループを解除するまで動作を繰り返す。
【００３６】
図６は、画像データを受信する場合のデジタルカメラの動作の一例を示すフローチャートである。
まず、ステップＳ２１において、操作部１９より受信側デジタルカメラとしての希望する画像情報を入力する。次に、ステップＳ２２において、送受信回路２４により受信側デジタルカメラとして希望する画像情報を、すべての送信側デジタルカメラに通知する。これにより、送信側デジタルカメラは、受信側デジタルカメラの所望条件を受け取ったことを返信通知する。
【００３７】
次に、ステップＳ２３において、送信側デジタルカメラから返信通知を一定時間内に受け取ったか否かを判断する。この判断の結果、一定時間内にその通知が無い場合は、ステップＳ２２に戻り、希望する画像情報を再度通知する。一方、ステップＳ２３の判断の結果、通知を受けた場合は、ステップＳ２４において、送信側デジタルカメラからの画像データを受信するまで待機する。
【００３８】
そして、画像データを受信すると、ステップＳ２５において、所望条件と一致した画像データであるか否かを判断する。この判断の結果、合致しない場合は、ステップＳ２４に戻り、画像データを再度受信するまで待機する。一方、ステップＳ２５の判断の結果、所望条件に合致した画像データである場合は、ステップＳ２６において、その画像データを記録媒体２３に記録する。そして、ステップＳ２７において、所望の画像データを受け取ったことを、送信側デジタルカメラに返信通知する。これにより、他のデジタルカメラが撮影した画像データも取得することができる。以上、撮影終了またはグループを解除するまで動作を繰り返す。
【００３９】
なお、本実施形態においては、送信側デジタルカメラから受信側デジタルカメラに画像データを直接送信するようにしている。一方、送信側デジタルカメラから第３のデジタルカメラを介して、受信側デジタルカメラに送信する様なリレー方式によって送信してもよい。この場合、受信側デジタルカメラの所望条件を送信側デジタルカメラへ通知及び返信通知するのも同様である。
【００４０】
図７は、送信側デジタルカメラが画像データを消去する場合分けの一覧を示す図である。
図５及び図６のフローチャートより、送信側デジタルカメラの撮影した画像データを、ＣＰＵ１７の判断で消去して良いかどうかの場合別けをまとめると、下記の４つのパターンに分類される。
【００４１】
（１）送信側デジタルカメラにおいて、自身の所望条件に合致する希望画像データは、どのような場合でも全てを記録する。グループ解除後、操作者の判断で消去することは選択的に可能である。
（２）送信側デジタルカメラにおいて、自身の所望条件に合致せず、受信側デジタルカメラの所望条件に合致する希望画像データは、画像データの送信と受信側の受取り通知とがそろったときのみ、その画像データを記録媒体２３から消去する。
（３）送信側デジタルカメラにおいて、自身の所望条件に合致せず、受信側デジタルカメラの所望条件に合致する画像データは、画像データの送信と受信側の受取り通知とがそろわないとき、その画像データを記録媒体２３から消去することは不可とする。
（４）送信側デジタルカメラにおいて、自身の所望条件に合致せず、受信側デジタルカメラの所望条件にも合致しない場合、操作者により画像データを記録媒体２３から消去を可能とする。
【００４２】
次に、既存のグループへ新規に参加するデジタルカメラの場合について説明する。
図９は、グループへ新規に参加するデジタルカメラに送信される画像データを示す図である。
図９において、３台のデジタルカメラＡ、Ｂ、Ｃは、既にグループに参加しているデジタルカメラであり、既に各々のデジタルカメラの所望条件により、画像データが相互交換されている。デジタルカメラＤは、グループへ新規に参加するデジタルカメラである。
【００４３】
まず、デジタルカメラＡ、Ｂ、Ｃは、各々のデジタルカメラの所望条件をデジタルカメラＤへ通知し、デジタルカメラＤは、既存の全てのデジタルカメラに所望条件を通知する。ここで、集合写真のような所望条件が重なる場合、デジタルカメラＡ、Ｂ、Ｃは、Ａ撮影−ＡＢＣ所望（Ａｎ−ＡＢＣ）を各々記録しており、Ａ撮影−ＡＢＣＤ所望（Ａｎ−ＡＢＣＤ）としてその画像データを、デジタルカメラＤへ送信することになる。
【００４４】
図１０は、新規に参加するデジタルカメラが記録した画像データを示す図である。
受信側のデジタルカメラＤは、所望条件に合致した画像データを受け取ると、その画像データを記録し、送信側のデジタルカメラＡ、Ｂ、Ｃへ画像データを受け取ったことを返信通知する。これにより、重複して同一の画像データが送信されてくることがなくなる。
【００４５】
図１１は、新規に参加する側のデジタルカメラの動作の一例を示すフローチャートである。
まず、ステップＳ３１において、操作部１９より新参加側デジタルカメラとしての希望する画像情報を入力する。自身のデジタルカメラにて所望条件を操作部１９より特定の人物の顔が撮影されている画像を選択することにより個別顔認識として設定される。
【００４６】
次に、ステップＳ３２において、新参加側デジタルカメラとして所望条件の画像情報を、既存側デジタルカメラ全てに通知する。これにより、既存側デジタルカメラは、新参加側デジタルカメラの所望条件を受け取ったことを返信通知する。そして、ステップＳ３３において、既存側デジタルカメラから返信通知を一定時間内に受け取ったか否かを判断する。この判断の結果、一定時間内にその通知が無い場合は、ステップＳ３２に戻り、希望する画像情報を再度通知する。一方、ステップＳ３３の判断の結果、通知を受けた場合は、ステップＳ３４において、送信側デジタルカメラからの画像データを受信するまで待機する。
【００４７】
そして、画像データを受信すると、ステップＳ３５において、所望条件と一致した画像データであるか否かを判断する。この判断の結果、合致しない場合は、ステップＳ３４に戻り、画像データを再度受信するまで待機する。一方、ステップＳ３５の判断の結果、所望条件に合致した画像データである場合は、ステップＳ３６において、その画像データを記録媒体２３に記録する。そして、ステップＳ３７において、所望の画像データを受け取ったことを、既存側デジタルカメラに返信通知する。これにより、既存側デジタルカメラが撮影した画像データも取得することができる。
【００４８】
図１２は、既存側デジタルカメラの動作の一例を示すフローチャートである。
まず、ステップＳ４１において、新参加側デジタルカメラの希望する画像情報を受信するまで待機する。そして、希望する画像情報を受信すると、ステップＳ４２において、新参加側デジタルカメラの所望条件に合致した画像データがあるかどうか判断する。この判断の結果、新参加側デジタルカメラの所望条件に合致した画像データがない場合は、ステップＳ４６に進み、撮影を続行する。
【００４９】
一方、ステップＳ４２の判断の結果、新参加側デジタルカメラの所望条件に合致した画像データがある場合は、ステップＳ４３において、その画像データを新参加側デジタルカメラへ送信する。これにより、新参加側のデジタルカメラは、所望条件に合致した画像データであることを確認し、その画像データを記録して、既存側デジタルカメラへ画像データを受け取ったことを返信通知する。
【００５０】
次に、ステップＳ４４において、新参加側のデジタルカメラから画像データを受け取ったことの通知を一定時間内に受けたか否かを判断する。この判断の結果、一定時間内にその通知が無い場合は、ステップＳ４３に戻る。一方、ステップＳ４４の判断の結果、通知を受けた場合は、ステップＳ４５において、新参加側デジタルカメラへの画像データの送信を中止する。そして、ステップＳ４６において、撮影を続行する。これにより、重複して同一の画像データが送信されてくることがない。そして、これらの動作処理が一巡した後、既存グループと同様に送信側または受信側として、撮影終了またはグループを解除するまで動作を繰り返す。
【００５１】
以上のように本実施形態によれば、他のデジタルカメラに設定されている所望条件の画像データであって、かつ自身のデジタルカメラに設定した所望条件以外の画像データを、相手側デジタルカメラに送信する。そして、送信完了後に、画像データ着信通知を受け取り、不要となった画像データを記録媒体より消去する。よって、記録容量に余裕が生まれ、撮影が続行可能となり、グループメンバーの記録容量を最大限に有効利用する。
【００５２】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５３】
１７  ＣＰＵ、２４  送受信回路
【図１】
2011234321.tif 000003
【図２】
2011234321.tif 000004
【図３】
2011234321.tif 000005
【図４】
2011234321.tif 000006
【図５】
2011234321.tif 000007
【図６】
2011234321.tif 000008
【図７】
2011234321.tif 000009
【図８】
2011234321.tif 000010
【図９】
2011234321.tif 000011
【図１０】
2011234321.tif 000012
【図１１】
2011234321.tif 000013
【図１２】
2011234321.tif 000014